Podtech/llm-jp-corpus-v4-ja_patent huggingface dataset:
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
短軸及び長軸を形成し、かつラインビーム軸によって特徴付けられた、光源からの成形ビームとの相互作用のための不完全非平面表面を有する膜を位置決めするためのシステムであって、
基準面を確立するベース部材と、
膜を保持するための実質的に平面のテーブル面を有するテーブルと、
前記平面テーブル面と実質的に直交する向きに置かれた平面にある、前記膜の表面上の少なくとも３つの点の前記基準面に対する位置を測定するセンサユニットと、
線形当て嵌め軸によって特徴付けられた前記３つの点に対する線形当て嵌めを計算するプロセッサと、
前記テーブルを移動し、かつ前記テーブル面を向け直して前記計算線形当て嵌め軸がラインビーム軸に実質的に平行であるアラインメントにするように該テーブルに対して作動可能なサブシステムと、
を含むことを特徴とするシステム。
【請求項２】
前記センサユニットは、自動焦点システムを含むことを特徴とする請求項１に記載のシステム。
【請求項３】
前記自動焦点システムは、３つの自動焦点センサを含むことを特徴とする請求項２に記載のシステム。
【請求項４】
前記テーブル上に取り付けられてそれと共に移動可能な、前記ラインビーム軸を確立するラインビームカメラを更に含むことを特徴とする請求項１に記載のシステム。
【請求項５】
前記サブシステムは、前記テーブルを移動して前記テーブル面を向け直す可動楔アセンブリを含むことを特徴とする請求項１に記載のシステム。
【請求項６】
前記ベース部材は、花崗岩ブロックであり、前記基準面は、該花崗岩ブロックの平面表面であり、前記自動焦点システムは、該花崗岩ブロックに剛体的に取り付けられていることを特徴とする請求項２に記載のシステム。
【請求項７】
前記テーブルは、前記花崗岩ブロック上に位置決めされていることを特徴とする請求項６に記載のシステム。
【請求項８】
前記サブシステムは、直線方向に前記テーブル面を移動し、ロール軸に関して該テーブルを回転させ、かつピッチ軸に関して該テーブルを回転させるように作動可能であることを特徴とする請求項１に記載のシステム。
【請求項９】
短軸及び長軸を形成し、かつラインビーム軸によって特徴付けられた、光源からの成形ビームと相互作用するように膜を位置決めするためのシステムであって、
膜を保持するための平面テーブル面を有するテーブルと、
光センサと、
前記テーブルを第１の軸に沿って前記光センサに対して移動し、該第１の軸と実質的に平行な基準面に対する前記平面テーブル面の向きを判断するための、該テーブルに結合されたステージと、
前記テーブルを移動し、かつ前記テーブル面を向け直して該テーブル面が前記基準面に実質的に平行であるアラインメントにするように該テーブルに対して作動可能なサブシステムと、
前記テーブルを移動し、かつ前記テーブル面を向け直して該テーブル面がラインビーム軸に実質的に平行であるアラインメントにする前記サブシステムによって使用される各測定位置を示す出力を供給する、複数のラインビーム軸位置に対する場所を測定するための焦点検出器と、
を含むことを特徴とするシステム。
【請求項１０】
前記光センサは、自動焦点システムを含むことを特徴とする請求項９に記載のシステム。
【請求項１１】
前記光センサは、３つの自動焦点センサを含むことを特徴とする請求項９に記載のシステム。
【請求項１２】
前記焦点検出器は、前記テーブル上に取り付けられてそれと共に移動可能なラインビームカメラを含むことを特徴とする請求項９に記載のシステム。
【請求項１３】
前記サブシステムは、前記テーブルを移動して前記テーブル面を向け直す可動楔アセンブリを含むことを特徴とする請求項９に記載のシステム。
【請求項１４】
前記基準面は、花崗岩ブロックの平面表面であり、前記自動焦点システムは、該花崗岩ブロックに剛体的に取り付けられていることを特徴とする請求項１０に記載のシステム。
【請求項１５】
前記ステージは、前記花崗岩ブロック上に位置決めされていることを特徴とする請求項１４に記載のシステム。
【請求項１６】
前記サブシステムは、直線方向に前記テーブル面を移動し、ロール軸に関して前記テーブルを回転させ、かつピッチ軸に関して該テーブルを回転させるように作動可能であることを特徴とする請求項９に記載のシステム。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
少なくとも２つの論理セル；及び
前記少なくとも２つの論理セルのセル隣接によって形成され、且つ電力を低減するための信号を受信し、前記少なくとも２つの論理セルを低電力モードに置くために該信号を前記少なくとも２つの論理セルの各々に分配するように構成された信号バス；
を有する集積回路。
【請求項２】
前記信号バスは前記少なくとも２つの論理セルを横切って延在している、請求項１に記載の集積回路。
【請求項３】
前記信号バスは第１の半導体層から形成されている、請求項１に記載の集積回路。
【請求項４】
前記第１の半導体層は多結晶シリコン層から成る、請求項３に記載の集積回路。
【請求項５】
前記信号バスは、前記少なくとも２つの論理セルの各々にスリープ信号を分配するように構成されたスリープバスを有する、請求項１乃至４の何れか一項に記載の集積回路。
【請求項６】
前記スリープバスに結合され、且つ前記スリープ信号を受信するように構成されたスリープピン、を更に有する請求項５に記載の集積回路。
【請求項７】
前記少なくとも２つの論理セルに結合され、且つ前記スリープバスから前記スリープ信号を受信し、該スリープ信号に基づいて前記少なくとも２つの論理セルにおける電力消費を制御するように構成されたスリープ回路、を更に有する請求項５に記載の集積回路。
【請求項８】
前記スリープ回路は１つ以上のスリープトランジスタを有する、請求項７に記載の集積回路。
【請求項９】
前記１つ以上のスリープトランジスタのドレインは第２の半導体層から形成されている、請求項８に記載の集積回路。
【請求項１０】
前記１つ以上のスリープトランジスタは、ＮＭＯＳトランジスタ及びＰＭＯＳトランジスタから成るグループから選択された型のトランジスタを有する、請求項８に記載の集積回路。
【請求項１１】
少なくとも２つの論理セルのセル隣接によって形成された信号バスを用いて電力低減信号を受信する段階；及び
前記少なくとも２つの論理セルの各々に前記電力低減信号を分配する段階；
を有する方法。
【請求項１２】
前記信号バスは前記少なくとも２つの論理セルを横切って延在している、請求項１１に記載の方法。
【請求項１３】
前記信号を分配する段階は、第１の半導体層から形成された前記信号バスを用いることを有する、請求項１１に記載の方法。
【請求項１４】
前記第１の半導体層は多結晶シリコン層から成る、請求項１３に記載の方法。
【請求項１５】
前記信号を分配する段階は、前記少なくとも２つの論理セルの各々にスリープ信号を分配するように構成されたスリープバスを用いることを有する、請求項１１乃至１４の何れか一項に記載の方法。
【請求項１６】
前記スリープバスに結合されたスリープピンから前記スリープ信号を受信する段階、を更に有する請求項１５に記載の方法。
【請求項１７】
前記スリープ信号を分配することは、前記少なくとも２つの論理セルにおける電力消費を制御するように構成されたスリープ回路を用いることを有する、請求項１５に記載の方法。
【請求項１８】
前記スリープ回路は１つ以上のスリープトランジスタを有する、請求項１７に記載の方法。
【請求項１９】
前記１つ以上のスリープトランジスタのドレインは第２の半導体層から形成されている、請求項１８に記載の方法。
【請求項２０】
前記１つ以上のスリープトランジスタは、ＮＭＯＳトランジスタ及びＰＭＯＳトランジスタから成るグループから選択された型のトランジスタを有する、請求項１８に記載の方法。
【請求項２１】
少なくとも２つの論理セル；及び
前記少なくとも２つの論理セルのセル隣接によって形成され、且つ電力を低減するための信号を受信し、前記少なくとも２つの論理セルを低電力モードに置くために該信号を前記少なくとも２つの論理セルの各々に分配するように構成された信号バス；
を有する標準セル・ライブラリー。
【請求項２２】
前記信号はスリープ信号であり、且つ前記信号バスはスリープ信号バスである、請求項２１に記載の標準セル・ライブラリー。
【請求項２３】
前記少なくとも２つの論理セルに結合されたスリープ回路、を更に有する請求項２１又は２２に記載の標準セル・ライブラリー。
【請求項２４】
前記スリープ回路は、前記スリープ信号バスから前記スリープ信号を受信し、該スリープ信号に基づいて前記少なくとも２つの論理セルにおける電力消費を制御するように構成されている、請求項２３に記載の標準セル・ライブラリー。
【請求項２５】
少なくとも２つの論理セル；及び
前記少なくとも２つの論理セルのセル隣接によって形成され、且つ電力を低減するための信号を受信し、前記少なくとも２つの論理セルを低電力モードに置くために該信号を前記少なくとも２つの論理セルの各々に分配するように構成された多結晶シリコン層；
を有する集積回路。
【請求項２６】
１つ以上の電力低減トランジスタを含み且つ前記少なくとも２つの論理セルに結合された電力低減回路を更に有し、該電力低減回路は、前記多結晶シリコン層から前記信号を受信し、該信号に基づいて前記少なくとも２つの論理セルにおける電力消費を制御するように構成され、前記１つ以上の電力低減トランジスタのゲートは前記多結晶シリコン層の一部によって形成され、且つ前記多結晶シリコン層は前記少なくとも２つの論理セルを横切って延在している、請求項２５に記載の集積回路。
【請求項２７】
前記多結晶シリコン層に結合され、且つ前記信号を受信するように構成されたピン、を更に有する請求項２５に記載の集積回路。
【請求項２８】
１つ以上の電力低減トランジスタを含む電力低減回路を更に有し、該電力低減回路は、前記少なくとも２つの論理セルに結合され、且つ前記多結晶シリコン層から前記信号を受信し、該信号に基づいて前記少なくとも２つの論理セルにおける電力消費を制御するように構成されている、請求項２５に記載の集積回路。
【請求項２９】
電源への全ての接続が、前記１つ以上の電力低減トランジスタのうちの１つのドレインを介して結合されている、請求項２８に記載の集積回路。
【請求項３０】
前記１つ以上の電力低減トランジスタのドレインは半導体層から形成されている、請求項２８に記載の集積回路。
【請求項３１】
前記１つ以上の電力低減トランジスタのゲートは別の多結晶シリコン層から形成されている、請求項２８に記載の集積回路。
【請求項３２】
前記１つ以上の電力低減トランジスタは、ＮＭＯＳトランジスタ及びＰＭＯＳトランジスタから成るグループから選択された型のトランジスタを有する、請求項２８に記載の集積回路。
【請求項３３】
前記１つ以上の電力低減トランジスタのソース接続は拡散によって形成されている、請求項２８に記載の集積回路。
【請求項３４】
前記１つ以上の電力低減トランジスタのゲートは標準セルの行に平行である、請求項２８に記載の集積回路。
【請求項３５】
前記多結晶シリコン層に、周期的に間隔を設けて配置されたタップセルが接続され、且つ前記タップセルはＶＤＤタップ及びＶＳＳタップのうちの選択された１つを含む、請求項２５乃至３４の何れか一項に記載の集積回路。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
脾臓癌、リンパ腺癌、前立腺癌、頭部および頚部癌、ならびに黒色腫から選択される癌の進行を、阻害し、根絶し、もしくは停止させ、または反転させるための医薬を製造するための、治療上有効量の下記式（Ｉ）によって表される治療上有効量の化合物、またはその薬学的に許容可能な塩の使用。
【化１】
2008546777.tif 000001
【請求項２】
前記化合物は単独で送達されるかまたは癌を治療するために使用される１以上の他の化合物と組合わせられる、請求項１に記載の使用。
【請求項３】
前記他の化合物が、メシル酸イマチニブ、ヒドロシキウレア、ＩＦＮ−α、細胞傷害性因子、ゲンフィタニブ、ゲムシタビン、ベバシズマブ、およびワートマニン、またはその薬学的に許容可能な塩から選択される、請求項２に記載の使用。
【請求項４】
前記他の化合物がゲムシタビンである、請求項３に記載の使用。
【請求項５】
前記他の化合物がゲムシタビンおよびベバシズマブである、請求項３に記載の使用。
【請求項６】
膵臓癌の進行を、阻害し、根絶し、もしくは停止させ、または反転させるための医薬を製造するための、治療上有効量の下記式（Ｉ）の化合物またはその薬学的に許容可能な塩の使用であって、ゲムシタビンまたはその薬学的に許容可能な塩と組合わせられる、使用。
【化３】
2008546777.tif 000002
【請求項７】
さらに、ベバシズマブまたはその薬学的に許容可能な塩と組合わせられる、請求項６に記載の使用。
【手続補正書】
【提出日】平成21年6月15日(2009.6.15)
【手続補正１】
【補正対象書類名】特許請求の範囲
【補正対象項目名】請求項１５
【補正方法】変更
【補正の内容】
【請求項１５】
請求項１〜１２のいずれか記載の化合物もしくは塩または請求項１３記載の組成物を含む、スフィンゴキナーゼ阻害剤。
【手続補正２】
【補正対象書類名】特許請求の範囲
【補正対象項目名】請求項１６
【補正方法】変更
【補正の内容】
【請求項１６】
請求項１〜１２のいずれか記載の化合物もしくは塩または請求項１３記載の組成物を含む、スフィンゴキナーゼの異常活性化を有する障害の治療剤。
【手続補正３】
【補正対象書類名】特許請求の範囲
【補正対象項目名】請求項１７
【補正方法】変更
【補正の内容】
【請求項１７】
請求項１〜１２のいずれか記載の化合物もしくは塩または請求項１３記載の組成物を含む、過剰増殖性疾患、炎症性疾患または血管新生性疾患から選択される疾患の治療剤。
【手続補正４】
【補正対象書類名】特許請求の範囲
【補正対象項目名】請求項１８
【補正方法】変更
【補正の内容】
【請求項１８】
過剰増殖性疾患が癌、アテローム性動脈硬化症、再狭窄、メサンギウム細胞増殖性障害および乾癬からなる群から選択される、請求項１７記載の治療剤。
【手続補正５】
【補正対象書類名】特許請求の範囲
【補正対象項目名】請求項１９
【補正方法】変更
【補正の内容】
【請求項１９】
癌が頭頸部癌、肺癌、胃腸管癌、乳癌、婦人科癌、精巣癌、尿道癌、神経系癌、内分泌癌、皮膚癌、肉腫、縦隔癌、後腹膜癌、心血管癌、肥満細胞症、癌肉腫、円柱腫、歯の癌、鼻腔神経芽細胞腫、尿膜管癌、メルケル細胞癌、傍神経節腫、ホジキンリンパ腫、非ホジキンリンパ腫、慢性白血病、急性白血病、骨髄増殖性癌、プラズマ細胞疾患および骨髄異形成症候群からなる群から選択される、請求項１８記載の治療剤。
【手続補正６】
【補正対象書類名】特許請求の範囲
【補正対象項目名】請求項２０
【補正方法】変更
【補正の内容】
【請求項２０】
メサンギウム細胞増殖性障害が糸球体腎炎、糖尿病性腎症、悪性腎硬化症、血栓性微小血管症候群、移植拒絶反応および糸球体疾患からなる群から選択される、請求項１８記載の治療剤。
【手続補正７】
【補正対象書類名】特許請求の範囲
【補正対象項目名】請求項２１
【補正方法】変更
【補正の内容】
【請求項２１】
炎症性疾患が炎症性大腸炎、関節炎、アテローム性動脈硬化症、喘息、アレルギー、炎症性腎疾患、循環性ショック、多発性硬化症、慢性閉塞性肺疾患、皮膚炎、歯周病、乾癬およびT細胞媒介免疫疾患からなる群から選択される、請求項１７記載の治療剤。
【手続補正８】
【補正対象書類名】特許請求の範囲
【補正対象項目名】請求項２２
【補正方法】変更
【補正の内容】
【請求項２２】
炎症性大腸炎が潰瘍性大腸炎、クローン病および不確定大腸炎からなる群から選択される、請求項２１記載の治療剤。
【手続補正９】
【補正対象書類名】特許請求の範囲
【補正対象項目名】請求項２３
【補正方法】変更
【補正の内容】
【請求項２３】
T細胞媒介免疫疾患がアレルギー性脳脊髄炎、アレルギー性神経炎、同種移植拒絶反応、移植片対宿主疾患、心筋炎、甲状腺炎、腎炎、全身性エリテマトーデスおよびインスリン依存性糖尿病からなる群から選択される、請求項２１記載の治療剤。
【手続補正１０】
【補正対象書類名】特許請求の範囲
【補正対象項目名】請求項２４
【補正方法】変更
【補正の内容】
【請求項２４】
関節炎が関節リウマチ、変形性関節炎、カプラン症候群、フェルティー症候群、シェーグレン症候群、強直性脊椎炎、スティル病、軟骨石灰化症、痛風、リウマチ熱、ライター病およびウィスラー症候群からなる群から選択される、請求項２１記載の治療剤。
【手続補正１１】
【補正対象書類名】特許請求の範囲
【補正対象項目名】請求項２５
【補正方法】変更
【補正の内容】
【請求項２５】
炎症性腎疾患が糸球体腎炎、糸球体障害、ネフローゼ症候群、間質性腎炎、ループス腎炎、グッドパスチャー病、ヴェグナー肉芽腫症、腎血管炎、IgA腎症および特発性糸球体疾患からなる群から選択される、請求項２１記載の治療剤。
【手続補正１２】
【補正対象書類名】特許請求の範囲
【補正対象項目名】請求項２６
【補正方法】変更
【補正の内容】
【請求項２６】
皮膚炎が乾癬、アトピー性皮膚炎、接触過敏症およびにきびからなる群から選択される、請求項２１記載の治療剤。
【手続補正１３】
【補正対象書類名】特許請求の範囲
【補正対象項目名】請求項２７
【補正方法】変更
【補正の内容】
【請求項２７】
血管新生性疾患が糖尿病性網膜症、関節炎、癌、乾癬、カポジ肉腫、血管腫、心筋血管新生、アテローム性プラーク血管新生、および脈絡膜血管新生、未熟児網膜症（後水晶体線維増殖症）、黄斑変性症、角膜移植拒絶反応、ルベオーシス、神経性緑内障およびオスラー・ウェバー病などの眼内血管新生性疾患からなる群から選択される、請求項１７記載の治療剤。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
薬学的組成物であって：
治療的有効量の式Ｉ：
【化１】
2008546713.tif 000001
を有する少なくとも１つの化合物またはその塩、および１つ以上の液体希釈剤を含有し、ここで：
Ｒ１は、ＯＣＨ３、ＯＣＨＦ２、およびＯＣＨ２ＣＨ３から選択され；そして
Ｒ２は、ＣＨ３、Ｃｌ、ＣＨ２Ｆ、およびＳＣＨ３から選択される、薬学的組成物。
【請求項２】
１つ以上の前記液体希釈剤が、１つ以上の水性希釈剤を含む、請求項１に記載の薬学的組成物。
【請求項３】
前記少なくとも１つの化合物が、約０．０１μｇ／ｍｌ〜約１５０ｍｇ／ｍｌの量で前記１つ以上の液体希釈剤と混合され、請求項１〜２のうちのいずれかに記載の薬学的組成物。
【請求項４】
１つ以上の前記液体希釈剤が、１つ以上の非イオン性界面活性剤を含む、請求項１〜３のうちのいずれかに記載の薬学的組成物。
【請求項５】
前記少なくとも１つの化合物と前記１つ以上の液体希釈剤との間の重量対重量の比が、約１：１０，０００〜約１：１である、請求項１〜４のうちのいずれかに記載の薬学的組成物。
【請求項６】
１つ以上の前記非イオン性界面活性剤が、ポリエトキシ化ヒマシ油である、請求項１〜５のうちのいずれかに記載の薬学的組成物。
【請求項７】
前記ポリエトキシ化ヒマシ油が、ポリオキシル３５ヒマシ油である、請求項１〜６のうちのいずれかに記載の薬学的組成物。
【請求項８】
前記少なくとも１つの化合物と前記ポリオキシル３５ヒマシ油との間の重量対重量の比が、約１：５００〜約１：５である、請求項１〜７のうちのいずれかに記載の薬学的組成物。
【請求項９】
前記１つ以上の液体希釈剤が、さらに少なくとも１つの粘度低下剤を含む、請求項１〜８のうちのいずれかに記載の薬学的組成物。
【請求項１０】
前記少なくとも１つの粘度低下剤が、エタノールである、請求項１〜９のうちのいずれかに記載の化合物。
【請求項１１】
前記少なくとも１つの非イオン性界面活性剤と前記少なくとも１つの粘度低下剤の比が、約２０：１〜約１：１０（ｗ／ｗ）である、請求項１〜１０のうちのいずれかに記載の薬学的組成物。
【請求項１２】
さらに１つ以上の賦形剤を含有する、請求項１〜１１のうちのいずれかに記載の薬学的組成物。
【請求項１３】
前記少なくとも１つの賦形剤が、抗酸化剤である、請求項１〜１２のうちのいずれかに記載の薬学的組成物。
【請求項１４】
１つ以上の前記液体希釈剤が、１つ以上の非イオン性界面活性剤および１つ以上の水性希釈剤を含み、そして該１つ以上の非イオン性界面活性剤と該少なくとも１つの水性希釈剤の容積対容積の比が、１００：１〜１：２０，０００である、請求項１〜１３のうちのいずれかに記載の薬学的組成物。
【請求項１５】
前記比が、約１：５０〜約１：５，０００である、請求項１４に記載の薬学的組成物。
【請求項１６】
請求項１〜１５のうちのいずれかに記載の薬学的組成物を含む、キット。
【請求項１７】
疾患および障害を処置するために有用な医薬を製造するための、請求項１〜１５のうちのいずれかに記載の薬学的組成物の使用。
【請求項１８】
前記疾患および障害が、腫瘍性疾患、癌、自己免疫疾患のような免疫系の障害、ならびに乾癬のような哺乳動物の細胞の過剰増殖と関連する疾患および障害、表皮性の過剰増殖、再狭窄、糖尿病性網膜症のような血管増殖性疾患および糖尿病性合併症から選択される、請求項１７に記載の使用。
【請求項１９】
１つ以上の液体希釈剤に希釈される請求項１〜１５のうちのいずれかに記載の薬学的組成物を含有する投薬組成物。
【請求項２０】
以下の工程：
ａ．１つ以上の液体希釈剤に少なくとも１つの式Ｉの化合物を少なくとも部分的に溶解し、薬学的組成物を形成する工程；および
ｂ．１つ以上の液体希釈剤に前記薬学的組成物を希釈する工程
を包含する、請求項１９に記載の投薬組成物を調製する方法。
【請求項２１】
疾患および障害を処置するために有用な医薬を製造するための、請求項１９に記載の投薬組成物の使用。
【請求項２２】
請求項１９に記載の投薬組成物を含む、キット。
【手続補正書】
【提出日】平成21年3月12日(2009.3.12)
【手続補正１】
【補正対象書類名】特許請求の範囲
【補正対象項目名】請求項１
【補正方法】変更
【補正の内容】
【請求項１】
式（Ｉ）：
【化１】
2008546770.tif 000001
［式中、
Ｘは、−ＣＨ２−、−ＣＨ２ＣＨ２−または−ＣＨ２ＣＨ２ＣＨ２−であり；
Ｒ１は、水素、Ｃ１−６アルキル、Ｃ３−６シクロアルキルまたはアリールであり；
Ｒ２、Ｒ５、Ｒ７およびＲ８は、独立して、水素、分岐状または未分岐状のＣ１−６アルキル、Ｃ３−６シクロアルキルまたはアリールであり；ここにおいて、該Ｃ１−６アルキルは、１個またはそれを超えるヒドロキシ、アミノ、グアニジノ、シアノ、カルバモイル、カルボキシ、Ｃ１−６アルコキシ、アリールＣ１−６アルコキシ、（Ｃ１−Ｃ４アルキル）３Ｓｉ、Ｎ−（Ｃ１−６アルキル）アミノ、Ｎ，Ｎ−（Ｃ１−６アルキル）２アミノ、Ｃ１−６アルキルＳ（Ｏ）ａ、Ｃ３−６シクロアルキル、アリールまたはアリールＣ１−６アルキルＳ（Ｏ）ａ（式中、ａは、０〜２である）で置換されていてもよく；そしてここにおいて、いずれのアリール基も、ハロ、ヒドロキシ、Ｃ１−６アルキル、Ｃ１−６アルコキシまたはシアノより選択される１個または２個の置換基で置換されていてもよく；
Ｒ４は、水素、Ｃ１−６アルキル、ハロまたはＣ１−６アルコキシであり；
Ｒ６およびＲ９は、水素、Ｃ１−６アルキルまたはアリールＣ１−６アルキルであり；ここにおいて、
Ｒ５およびＲ２は、２〜７個の炭素原子を有する環を形成してよく、そしてここにおいて、
Ｒ６およびＲ２は、３〜６個の炭素原子を有する環を形成してよい］
を有する化合物；またはその薬学的に許容しうる塩、溶媒和化合物、このような塩の溶媒和化合物またはプロドラッグ。
【手続補正２】
【補正対象書類名】特許請求の範囲
【補正対象項目名】請求項２
【補正方法】変更
【補正の内容】
【請求項２】
式（Ｉ２）：
【化２】
2008546770.tif 000002
［式中、
Ｘは、−ＣＨ２−、−ＣＨ２ＣＨ２−または−ＣＨ２ＣＨ２ＣＨ２−であり；
Ｒ１は、水素、Ｃ１−６アルキル、Ｃ３−６シクロアルキルまたはアリールであり；
Ｒ２、Ｒ５、Ｒ７およびＲ８は、独立して、水素、分岐状または未分岐状のＣ１−６アルキルであり、ここにおいて、該Ｃ１−６アルキルは、１個またはそれを超えるヒドロキシ、アミノ、グアニジノ、シアノ、カルバモイル、カルボキシ、Ｃ１−６アルコキシ、アリールＣ１−６アルコキシ、（Ｃ１−Ｃ４アルキル）３Ｓｉ、Ｎ−（Ｃ１−６アルキル）アミノ、Ｎ，Ｎ−（Ｃ１−６アルキル）２アミノ、Ｃ１−６アルキルＳ（Ｏ）ａ、Ｃ３−６シクロアルキル、アリールまたはアリールＣ１−６アルキルＳ（Ｏ）ａ（式中、ａは、０〜２である）で置換されていてもよく；そしてここにおいて、いずれのアリール基も、ハロ、ヒドロキシ、Ｃ１−６アルキル、Ｃ１−６アルコキシまたはシアノより選択される１個または２個の置換基で置換されていてもよく；
Ｒ４は、水素、Ｃ１−６アルキル、ハロまたはＣ１−６アルコキシであり；
Ｒ６およびＲ９は、水素、Ｃ１−６アルキルまたはアリールＣ１−６アルキルであり；ここにおいて、
Ｒ５およびＲ２は、２〜７個の炭素原子を有する環を形成してよく、そしてここにおいて、
Ｒ６およびＲ２は、３〜６個の炭素原子を有する環を形成してよい］
を有する化合物；またはその薬学的に許容しうる塩、溶媒和化合物、このような塩の溶媒和化合物またはプロドラッグ。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
疼痛を治療及び／又は予防するための医薬の調製のための、少なくとも１つのオピオイド鎮痛薬と組み合わせた、NGFとTrkAとの間の結合を阻害することができる抗TrkA抗体の使用であって、該抗体が、軽鎖の可変領域が本質的に配列番号3のアミノ酸 1〜アミノ酸 106の配列を含むヒト化抗体である、前記使用。
【請求項２】
前記抗体がTrkAの生物活性を遮断することができる、請求項1又は27記載の使用。
【請求項３】
前記抗体重鎖の可変領域が、配列番号2のアミノ酸 26〜アミノ酸 35；配列番号2のアミノ酸 50〜アミノ酸 66；配列番号2のアミノ酸 99〜アミノ酸 112；から選択される配列を有する相補性決定領域（CDR）の少なくとも1つを含む、請求項1又は2記載の使用。
【請求項４】
前記抗体重鎖の可変領域が、配列番号2のアミノ酸 26〜アミノ酸 35；配列番号2のアミノ酸 50〜アミノ酸 66；配列番号2のアミノ酸 99〜アミノ酸 112；から選択される配列を有する相補性決定領域（CDR）の少なくとも2つを含む、請求項1又は2記載の使用。
【請求項５】
前記抗体重鎖の可変領域が、配列番号2のアミノ酸 26〜アミノ酸 35；配列番号2のアミノ酸 50〜アミノ酸 66；配列番号2のアミノ酸 99〜アミノ酸 112；から選択される配列を有する相補性決定領域（CDR）の3つ全てを含む、請求項1又は2記載の使用。
【請求項６】
前記抗体重鎖の可変領域が、本質的に配列番号2の配列を含む、請求項1又は2記載の使用。
【請求項７】
前記抗体が単鎖形態であり、かつリンカーによって連結された軽鎖可変領域及び重鎖可変領域を含む、請求項1〜6のいずれか1項記載の使用。
【請求項８】
前記抗体が2つの軽鎖及び2つの重鎖を含む、請求項1〜6のいずれか1項記載の使用。
【請求項９】
前記抗体がFab（一価の断片抗原結合）断片である、請求項1〜6のいずれか1項記載の使用。
【請求項１０】
前記ヒト化抗体重鎖の可変領域が、本質的に配列番号4のアミノ酸 1〜アミノ酸 123の配列を含む、請求項1、2、7、8又は9のいずれか1項記載の使用。
【請求項１１】
前記ヒト化抗体軽鎖が本質的に配列番号3の配列を有する、請求項1〜10のいずれか1項記載の使用。
【請求項１２】
前記ヒト化抗体重鎖が、本質的に配列番号4、配列番号5、配列番号6から選択される配列を有する、請求項1、2又は7〜11のいずれか1項記載の使用。
【請求項１３】
前記オピオイド鎮痛薬が以下の一覧から選択される化合物又は1つ若しくは複数の化合物の組み合わせである、請求項1〜12のいずれか記載の使用：モルヒネ、コデイン、ジヒドロコデイン、ジアセチルモルヒネ、ヒドロコドン、ヒドロモルフォン（hydomorphone）、レボルファノール、オキシモルフォン、アルフェンタニル、ブプレノルフィン、ブトルファノール、フェンタニル、スフェンタニル、メペリジン、メサドン、ナブルフィナ、プロポキシフェン、ペンタゾシン；及びその医薬として許容し得る塩誘導体。
【請求項１４】
前記オピオイド鎮痛薬がモルヒネ又はその医薬として許容し得る塩である、請求項13記載の使用。
【請求項１５】
前記オピオイド鎮痛薬がフェンタニル又はその医薬として許容し得る塩である、請求項14記載の使用。
【請求項１６】
前記疼痛が慢性痛である、請求項1〜15のいずれか1項記載の使用。
【請求項１７】
前記疼痛が急性痛である、先の請求項1〜15のいずれか1項記載の使用。
【請求項１８】
前記疼痛が、膵炎、腎結石、頭痛、月経困難症、筋骨格疼痛、挫傷、内臓痛、卵巣嚢胞、前立腺炎、膀胱炎、間質性膀胱炎、炎症性腸疾患術後疼痛（歯痛を含む）、術後疼痛、片頭痛、三叉神経痛、火傷及び／又は創傷による疼痛、外傷と関連した疼痛（外傷性頭部外傷を含む）、神経障害性疼痛、帯状疱疹後神経痛、筋骨格疾患と関連した疼痛、リウマチ様関節炎、骨関節炎、強直性脊椎炎、関節周囲の病態、腫瘍学的疼痛、（「破綻的疼痛」及び末期癌と関連した疼痛を含む）、骨転移による疼痛、HIVによる疼痛、によって生じる、請求項16又は17記載の使用。
【請求項１９】
前記抗TrkA抗体の量が、前記オピオイド用量が、それ自体単独で用いるのと同じ鎮痛効果を生じるために必要な量の少なくとも5%まで減少されるような量である、請求項1〜18のいずれか1項記載の使用。
【請求項２０】
医薬として許容し得る用量、かつ有効な用量で、請求項1〜12のいずれか1項に開示したとおりの少なくとも１つの抗TrkA抗体と少なくとも１つの鎮痛性オピオイドとを含む、鎮痛性医薬品製剤。
【請求項２１】
前記製剤が単一の医薬組成物に含まれる、請求項20記載の製剤。
【請求項２２】
前記製剤が2つの医薬組成物によって構成され、第1のものは抗TrkA抗体を含み、及び第2のものは鎮痛性オピオイドを含む、請求項20記載の製剤。
【請求項２３】
前記オピオイド鎮痛薬が以下の一覧から選択される化合物又は1つ若しくは複数の化合物の組み合わせである、請求項20〜22のいずれか1項記載の製剤：モルヒネ、コデイン、ジヒドロコデイン、ジアセチルモルヒネ、ヒドロコドン、ヒドロモルフォン（hydomorphone）、レボルファノール、オキシモルフォン、アルフェンタニル、ブプレノルフィン、ブトルファノール、フェンタニル、スフェンタニル、メペリジン、メサドン、ナブルフィナ、プロポキシフェン、ペンタゾシン；及びその医薬として許容し得る塩誘導体。
【請求項２４】
前記オピオイド鎮痛薬がモルヒネ又はその医薬として許容し得る塩である、請求項23記載の製剤。
【請求項２５】
前記オピオイド鎮痛薬がフェンタニル又はその医薬として許容し得る塩である、請求項24記載の製剤。
【請求項２６】
請求項1〜12のいずれか1項に開示したとおりの抗TrkA抗体及び鎮痛性オピオイドを含む組成物を、疼痛の治療及び／又は予防が必要な被験体に対する前記組成物の投与を指示することにより前記被験体の疼痛を治療及び／又は予防するための説明書と共に含む、キット。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2008546828.tif 000001
［式中、
Ｒａは、水素又はアルキルを表し；
このアルキルは、
ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニル
からなる群から独立に選択される１つ又は複数の置換基により任意選択で置換されており；
Ｒｂはアリール又はヘテロアリール基を表し、
このアリール又はヘテロアリール基は、
ハロ、トリフルオロメチル、トリフルオロメトキシ、シアノ、ニトロ、ヒドロキシ、アルコキシ、シクロアルコキシ、アルコキシアルキル、シクロアルコキシアルキル、メチレンジオキシ、エチレンジオキシ、アルキル、シクロアルキル、シクロアルキルアルキル、アルケニル、アルキニル、−ＮＲ’Ｒ”、−（Ｃ＝Ｏ）ＮＲ’Ｒ”又は−ＮＲ’（Ｃ＝Ｏ）Ｒ”
からなる群から独立に選択される１つ又は複数の置換基により任意選択で置換されており、
Ｒ’及びＲ”は互いに独立に、水素又はアルキルであり；
Ｘは−Ｏ−又は−ＮＲｃ−を表し；
Ｒｃは水素又はアルキルを表す］
、その任意の異性体又はその異性体の任意の混合物、或いは薬学的に許容されるこれらの塩。
【請求項２】
Ｒａが水素又はアルキルを表す、請求項１に記載の化合物。
【請求項３】
Ｒｂがフェニル基を表し、このフェニル基が、ハロ、トリフルオロメチル、トリフルオロメトキシ、シアノ及びアルコキシからなる群から独立に選択される１つ又は複数の置換基により任意選択で置換されている、請求項１又は２に記載の化合物。
【請求項４】
Ｒｂがフェニル基を表し、このフェニル基が、ハロ、トリフルオロメチル、トリフルオロメトキシ、シアノ及びアルコキシからなる群から独立に選択される置換基により１回又は２回置換されている、請求項１又は２に記載の化合物。
【請求項５】
Ｒｂがナフチル基を表し、このナフチル基が、ハロ、トリフルオロメチル、トリフルオロメトキシ、シアノ及びアルコキシからなる群から独立に選択される１つ又は複数の置換基により任意選択で置換されている、請求項１又は２に記載の化合物。
【請求項６】
Ｒｂが、任意選択で置換されているクマリニル基を表す、請求項１又は２に記載の化合物。
【請求項７】
Ｘが、−Ｏ−又は−ＮＨ−を表す、請求項１から６までのいずれか一項に記載の化合物。
【請求項８】
９−（３，４−ジクロロ−フェノキシ）−３−アザ−スピロ［５．５］ウンデカン；
９−（６−メトキシ−ナフタレン−２−イルオキシ）−３−アザ−スピロ［５．５］ウンデカン；
７−（３−アザ−スピロ［５．５］ウンデカ−９−イルオキシ）−クロメン−２−オン；
９−（３−ブロモ−４−クロロ−フェノキシ）−３−アザ−スピロ［５．５］ウンデカン；
９−（４−クロロ−フェノキシ）−３−アザ−スピロ［５．５］ウンデカン；
９−（４−クロロ−３−フルオロ−フェノキシ）−３−アザ−スピロ［５．５］ウンデカン；
９−（３−クロロ−４−フルオロ−フェノキシ）−３−アザ−スピロ［５．５］ウンデカン；
９−（４−クロロ−３−トリフルオロメチル−フェノキシ）−３−アザ−スピロ［５．５］ウンデカン；
９−（ナフタレン−２−イルオキシ）−３−アザ−スピロ［５．５］ウンデカン；
６−（３−アザ−スピロ［５．５］ウンデカ−９−イルオキシ）−クロメン−２−オン；
（３−アザ−スピロ［５．５］ウンデカ−９−イル）−（３，４−ジクロロ−フェニル）−アミン；
９−（３，４−ジクロロ−フェノキシ）−３−メチル−３−アザ−スピロ［５．５］ウンデカン；
又は薬学的に許容されるこれらの塩である、請求項１に記載の化合物。
【請求項９】
請求項１から８までのいずれか一項に記載の化合物、その任意の異性体又はその異性体の任意の混合物、或いは薬学的に許容されるこれらの塩を含む医薬。
【請求項１０】
ヒトを含めての哺乳動物の疾患又は障害又は状態の治療、予防又は軽減のための請求項９に記載の医薬であって、この疾患、障害又は状態が中枢神経系におけるモノアミン神経伝達物質再取り込みの阻害に応答する、上記医薬。
【請求項１１】
前記疾患、障害又は状態が気分障害、鬱病、非定型鬱病、鬱病併発疼痛、大鬱病性障害、気分変調性障害、双極性障害、双極Ｉ型障害、双極ＩＩ型障害、気分循環性障害、一般身体疾患による気分障害、物質誘発性気分障害、仮性認知症、ガンゼル症候群、強迫性障害、パニック障害、広場恐怖症を伴わないパニック障害、広場恐怖症を伴うパニック障害、パニック障害の病歴のない広場恐怖症、パニック発作、記憶障害、記憶喪失、注意欠陥多動性障害、肥満、不安、全般性不安障害、摂食障害、パーキンソン病、パーキンソン症候群、認知症、老化による認知症、老年認知症、アルツハイマー病、後天性免疫不全症候群認知症複合、加齢による記憶障害、特定恐怖症、社会恐怖症、社会不安障害、外傷後ストレス障害、急性ストレス障害、薬物依存症、薬物乱用、コカインの乱用、ニコチンの乱用、タバコの乱用、アルコール依存症、アルコール中毒、窃盗症、疼痛、慢性疼痛、炎症性疼痛、神経因性疼痛、偏頭痛、緊張型頭痛、慢性緊張型頭痛、鬱病に伴う疼痛、線維筋痛症、関節炎、変形性関節炎、関節リウマチ、背部痛、癌性疼痛、過敏性腸疼痛、過敏性腸症候群、術後疼痛、乳房切除後疼痛症候群（ＰＭＰＳ）、卒中後痛、薬物誘発性神経障害、糖尿病性神経障害、交感神経依存性疼痛、三叉神経痛、歯痛、顔面筋疼痛、幻肢痛、大食症、月経前症候群、月経前不快気分障害、黄体期後期症候群、外傷後症候群、慢性疲労症候群、尿失禁、ストレス尿失禁、切迫性尿失禁、夜間失禁、性機能障害、早漏、勃起困難、勃起障害、早すぎる女性のオルガスム、不穏下肢症候群、周期性四肢運動障害、摂食障害、神経性食欲不振症、睡眠障害、広汎性発達障害、自閉症、アスペルガー障害、レット障害、小児期崩壊性障害、学習障害、運動能力障害、緘黙症、抜毛癖、ナルコレプシー、脳卒中後鬱病、卒中誘発脳損傷、卒中誘発ニューロン損傷、ジルドラトゥレット病、耳鳴り、チック障害、身体醜形障害、反抗挑戦性障害又は卒中後能力低下である、請求項１０に記載の医薬。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
式(I)の化合物
【化１】
2008546822.tif 000001
［式中:
R1は、H、アダマンチル、Clからなる群から選択される；
R2は、OMe、Cl、CNおよび(CH2)nOH[式中、nは0、1および2の中から選択される]からなる群から選択される；または
R2は、R2が結合する環と共に、メチレンまたはエチレン-ジオキシ誘導体を形成する；
R3は、HおよびClから選択される; 
Ａは、次の二価の基 [CH=CH](トランス)、[C≡C]のうちの一つであるか、またはそれが結合する環と共にナフチル基を形成する］。
【請求項２】
下記の群から選択される請求項１記載の式(I)の化合物：
E-3-(4’-ヒドロキシ-ビフェニル-4-イル)-N-ヒドロキシ-アクリルアミド;
E-3-[3’-(1-アダマンチル)-4’-ヒドロキシ-ビフェニル-4-イル]-N-ヒドロキシ-アクリルアミド;
6-[3-1-(アダマンチル)-4-ヒドロキシフェニル]-ナフタレン-2-カルボン酸 N-ヒドロキシアミド;
6-[3-1-(アダマンチル)-4-メトキシフェニル]-ナフタレン-2-カルボン酸 N-ヒドロキシアミド;
3-[4-(8-アダマンタン-1-イル-2,3-ジヒドロベンゾ[1,4]ジオキシン-6-イル)-フェニル]-N-ヒドロキシ-アクリルアミド;
E-3-(3'-アダマンタン-1-イル-2-クロロ-4'-ヒドロキシ-ビフェニル-4-イル)-N-ヒドロキシ-アクリルアミド;
E-3-(3'-アダマンタン-1-イル-4'-メトキシ-ビフェニル-4-イル)-N-ヒドロキシ-アクリルアミド;
E-3-(4'-ヒドロキシ-ビフェニル-4-イル)-N-ヒドロキシ-プロピオルアミド; 
E-3-(4’-ヒドロキシメチル-ビフェニル-4-イル)-N-ヒドロキシ-アクリルアミド;
E-3-(3’-クロロ-4’-ヒドロキシ-ビフェニル-4-イル)-N-ヒドロキシ-アクリルアミド; 
E-3-[4’-メトキシ-ビフェニル-4-イル]-N-ヒドロキシ-アクリルアミド; 
E-3-[4’-シアノ-ビフェニル-4-イル]-N-ヒドロキシ-アクリルアミド;および
E-3-[4’-クロロビフェニル-4-イル]-N-ヒドロキシ-アクリルアミド。
【請求項３】
対応するカルボン酸とヒドロキシルアミンハイドロクロライドを反応させることを含む、請求項１または２記載の化合物を製造するための方法。
【請求項４】
医薬としての請求項１または２の化合物。
【請求項５】
活性成分として請求項１または２のいずれかに記載の化合物および少なくとも一つの医薬的に許容し得る賦形剤および／または希釈剤を含有する医薬組成物。
【請求項６】
腫瘍病変の処置のための請求項５記載の組成物。
【請求項７】
腫瘍が同処置のために使用した他の抗腫瘍剤に薬物耐性を示している、腫瘍病変の処置のための請求項５記載の組成物。
【請求項８】
腫瘍病変が、肉腫、癌腫、カルチノイド、骨髄性腫瘍、神経内分泌腫瘍、リンパ性白血病、急性前骨髄性白血病、脊髄性白血病、単球白血病、巨核芽球細胞白血病およびホジキン疾患からなる群から選択される、請求項５〜７のいずれかに記載の組成物。
【請求項９】
活性成分が１以上の既知の抗腫瘍剤と併用される、請求項５〜８のいずれかに記載の組成物。
【請求項１０】
既知の抗腫瘍剤が、アルキル化剤、トポイソメラーゼ阻害剤、抗チューブリン薬剤、挿入化合物、代謝拮抗薬、天然産物、例えばビンカアルカロイド、エピポドフィロトキシン、抗生物質、酵素、タキサンおよび細胞分化作用化合物からなる群から選択される、請求項９に記載の組成物。
【請求項１１】
細胞分化作用抗腫瘍化合物がオール-トランスレチノイン酸である、請求項１０記載の組成物。
【請求項１２】
活性成分と少なくとも一つの医薬的に許容し得る賦形剤および／または希釈剤とを混合することを含む、請求項５〜１１のいずれかに記載の組成物を製造するための方法。
【請求項１３】
抗腫瘍活性を有する医薬を製造するための、請求項１または２に記載の化合物の使用。
【請求項１４】
腫瘍が同処置のために使用される他の抗腫瘍剤に対して薬物耐性を示す、腫瘍病変の処置のための医薬の製造のための請求項１または２に記載の化合物の使用。 
【請求項１５】
腫瘍が、肉腫、癌腫、カルチノイド、骨髄性腫瘍、神経内分泌の腫瘍、リンパ性白血病、急性前骨髄球性白血病、脊髄性白血病、単球白血病、巨核球白血病およびホジキン疾患からなる群から選択される、請求項１３または１４のいずれか記載の使用。
【請求項１６】
腫瘍が急性前骨髄球性白血病である、請求項１５記載の使用。
【請求項１７】
化合物が１以上の既知の抗腫瘍剤と併用される、請求項１３または１４に記載の使用。
【請求項１８】
既知の抗腫瘍剤がオール-トランスレチノイン酸である、請求項１７記載の使用。
【請求項１９】
請求項１４〜１６のいずれかに記載の疾患に罹患している哺乳動物を処置するための、請求項１または２の治療上有効量の化合物を含む組成物。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
熱イオン放出セル、熱ボルタ電池、発電機、圧縮機および熱ポンプからなる群から選択される装置を含む熱エネルギー変換装置内で使用可能であり、実質的に球形および同一直径によって特徴付けられるナノスケール粒子をさらに含むことを特徴とするイオン性液体溶液。
【請求項２】
イオン性液体および少なくとも１つの伝熱流体を含み、該伝熱流体およびイオン性液体は部分混和性または混和性であることを特徴とするイオン性液体溶液。
【請求項３】
０．１ｎｍから１０００ｎｍの平均粒径を有する表面修飾ナノスケール粒子およびイオン性液体を含むことを特徴とするイオン性液体溶液。 
【請求項４】
イオン性液体とエレクトリド類またはアルカリド類からなる群から選択される少なくとも１つの溶液とを含むことを特徴とするイオン性液体溶液。
【請求項５】
０．１ｎｍから１０００ｎｍの平均粒径を有する実質的に球状のナノスケール粒子、およびナノスケール粒子前駆体類を含み、後続のナノスケール粒子の化学的還元または酸化のために、およそ０．１ｎｍと１０００ｎｍとの間のサイズ内に物理的に拘束されることを特徴とするイオン性液体溶液。 
【請求項６】
少なくとも溶液の超臨界圧力まで加圧されることを特徴とするイオン性液体、エレクトリドまたはアルカリド溶液。 
【請求項７】
０．１ｎｍから１０００ｎｍの平均粒径を有する表面修飾ナノスケール粒子をさらに含むことを特徴とする請求項１、２および４のいずれか一項に記載の溶液。 
【請求項８】
半導性および伝導性ナノスケール粒子の両方を含むことを特徴とする請求項３、５および７のいずれか一項に記載のイオン性液体溶液。
【請求項９】
溶液が少なくとも該溶液の超臨界圧力まで加圧されることを特徴とする請求項１から５のいずれか一項に記載のイオン性液体溶液。
【請求項１０】
０．１ｎｍから１０００ｎｍの平均粒径を有するナノスケールの前駆体とさらに混合され、および直ちに急速膨張の対象となることを特徴とする請求項９に記載の溶液。
【請求項１１】
溶液が電子放出の平均自由工程長を増大させることを特徴とする請求項１から７のいずれか一項に記載のイオン性液体溶液。
【請求項１２】
伝熱流体をさらに含み、該伝熱流体がイオン性液体溶液と部分混和性または混和性であることを特徴とする請求項１、３、４、６および７のいずれか一項に記載のイオン性液体溶液。
【請求項１３】
超臨界ガスをさらに含むことを特徴とする請求項１から７および１２のいずれか一項に記載のイオン性液体溶液。
【請求項１４】
伝熱流体、イオン性液体および超臨界流体からなる群からの少なくとも１つの流体が部分混和性または混和性であることを特徴とする請求項１３に記載のイオン性液体溶液。
【請求項１５】
エネルギー変換装置が電場、静電場および磁場からなる群から選択される場を含む少なくとも１つの場をさらに含むことを特徴とする請求項１に記載の溶液。 
【請求項１６】
ナノスケール粒子が有機金属粒子および金属塩からなる群から選択されることを特徴とする請求項３、５、７、８、１０および１８のいずれか一項に記載のイオン性液体溶液。
【請求項１７】
ナノスケール粒子が、架橋ポリマー、重合モノマーをさらに含むことを特徴とする請求項３、５、７、８、１０、１８および１６のいずれか一項に記載のイオン性液体溶液。
【請求項１８】
ナノスケール粒子が実質的に球形および同一直径からなる群から選択される少なくとも１つの特徴によって特徴付けられる請求項３、５、７、８、１０、１６および１７のいずれか一項に記載のイオン性液体溶液。
【請求項１９】
エレクトリド類およびアルカリド類からなる群からの少なくとも１つをさらに含むことを特徴とする請求項１、２、３、５および９から１４のいずれか一項に記載のイオン性液体溶液。
【請求項２０】
熱エネルギー変換装置が０．１ｎｍから１０００ｎｍの平均粒径を有するナノスケール粒子をさらに含むことを特徴とする請求項１に記載の溶液。 
【請求項２１】
熱エネルギー変換装置がバリア膜をさらに含み、バリア膜は熱源およびイオン性液体の間に存在することを特徴とする請求項１または２０に記載の溶液。
【請求項２２】
バリア膜がダイヤモンド、ダイヤモンド様、金属およびカーボンナノチューブからなる群から選択される成分をさらに含むことを特徴とする請求項２１に記載の溶液。
【請求項２３】
熱エネルギー変換装置は、実質的に球形および同一直径からなる群から選択される少なくとも１つの特徴によって特徴付けられるナノスケール粒子をさらに含み、０．１ｎｍから１０ｎｍの平均距離によって分離される上部セルサイドおよび下部セルサイドを分離することを特徴とする請求項１、２０および２１のいずれか一項に記載の溶液。
【請求項２４】
実質的に球形の粒子が導電性または半導性、および伝熱性の少なくとも１つであることを特徴とする請求項１８および２３のいずれか一項に記載の溶液。
【請求項２５】
実質的に球形の粒子が導電性層および非伝熱性層からなる群から選択される少なくとも１つの層の交互層からなる多層コーティングをさらに含み、各交互層は０．１ｎｍから１０ｎｍの平均厚さを有することを特徴とする請求項５、１８、２３および２４のいずれか一項に記載のイオン性液体溶液。
【請求項２６】
交互層の最外交互層はイオン性液体溶液と反応しないことを特徴とする請求項２５に記載の溶液。
【請求項２７】
交互層の少なくとも１つが、有機金属塩または金属塩の化学的還元によって、容易に還元されることを特徴とする請求項２５から２６のいずれか一項に記載の溶液。
【請求項２８】
交互層の少なくとも１つが、後続の有機金属塩または金属塩の化学的還元を拘束して、容易に重合されることを特徴とする請求項２５に記載の溶液。
【請求項２９】
電気的還元、化学的還元および光還元からなる群から選択される手段によって金属塩、有機金属、金属酸化物、および金属窒化物を還元するように設計されていることを特徴とする請求項５に記載の溶液。
【請求項３０】
溶液がゴスワミ、ウエハラ、カリーナ、ランキン、カルノー、ジュール・ブレイトン、エリクソンおよびスターリングからなる群から選択されるサイクルを含む熱力学サイクル内の性能係数を増大させることを特徴とする請求項１から７、９から１４および１９のいずれか一項に記載の溶液。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
熱変色性成分を含むことを特徴とする色変化清浄用組成物。
【請求項２】
界面活性剤を更に含むことを特徴とする請求項１に記載の組成物。
【請求項３】
油、洗浄剤、乳化剤、フィルム形成機、ろう、香水、防腐剤、軟化剤、溶媒、濃化剤、湿潤剤、キレート剤、安定剤、ｐＨ調整剤、又はこれらの幾つかの組み合わせを更に含むことを特徴とする請求項２に記載の組成物。
【請求項４】
前記組成物は、前記熱変色性成分により生じる色変化により、使用者、介護人、又はセンサーに情報を伝えるものであることを特徴とする請求項１に記載の組成物。
【請求項５】
前記熱変色性成分の前記濃度は、重量割合が約０．４重量パーセントないし約２重量パーセントであることを特徴とする請求項４に記載の組成物。
【請求項６】
前記熱変色性成分の前記濃度は、重量割合が約１重量パーセントより小さいことを特徴とする請求項４に記載の組成物。
【請求項７】
前記組成物は、液体、ゲル状、又は固体の形態であることを特徴とする請求項４に記載の組成物。
【請求項８】
前記組成物は、前記組成物が所定の温度又は温度範囲にあることを、使用者、介護人又はセンサーに示す情報を伝えるものであることを特徴とする請求項４に記載の組成物。
【請求項９】
前記情報は、前記組成物が約２０℃ないし約４０℃の温度又は温度範囲にあることを示すことを特徴とする請求項８に記載の組成物。
【請求項１０】
前記情報は、前記組成物が約２５℃ないし約３５℃の温度又は温度範囲にあることを示すことを特徴とする請求項８に記載の組成物。
【請求項１１】
前記組成物は、前記組成物が接触しようとする時の材料の前記温度が、所定の温度又は温度範囲であることを、使用者、介護人、又はセンサーに示す情報を伝えるようになることを特徴とする請求項４に記載の組成物。
【請求項１２】
前記材料は、皮膚、液体、又は無生物であることを特徴とする請求項１１に記載の組成物。
【請求項１３】
前記組成物は、前記組成物と材料との接触時間が所定の期間又は期間の範囲であることを、使用者、介護人、又はセンサーに示す情報を伝えるようになることを特徴とする請求項４に記載の組成物。
【請求項１４】
前記期間は、約１０秒又はこれより小さいことを特徴とする請求項１３に記載の組成物。
【請求項１５】
前記期間は、約１０秒ないし約２５秒であることを特徴とする請求項１３に記載の組成物。
【請求項１６】
前記期間は、約１２０秒より小さいことを特徴とする請求項１３に記載の組成物。
【請求項１７】
実質的には、色変化しない顔料を更に含むことを特徴とする請求項４に記載の組成物。
【請求項１８】
複数の熱変色性成分を含むことを特徴とする請求項４に記載の組成物。
【請求項１９】
前記組成物は、複数の色変化を生じるようになることを特徴とする請求項１８に記載の組成物。
【請求項２０】
前記組成物は、任意に別物品を含むことができる形状付けした棒状石鹸であることを特徴とする請求項４に記載の組成物。